(57)【特許請求の範囲】
【請求項１】
薬剤投与装置と通信可能な生体情報測定装置であって、
センサ装着部を有する本体ケースと、前記センサ装着部に接続した測定部と、この測定部に接続した制御部と、この制御部に接続した表示部と、前記制御部に接続するとともに前記薬剤投与装置へ薬剤投与情報および薬剤投与外情報を通信する通信部と、を備え、
前記制御部は、前記薬剤投与装置に前記薬剤投与外情報を通信するときには、第１の出力で通信を行い、前記薬剤投与装置に前記薬剤投与情報を通信するときには、前記第１の出力よりも小さい第２の出力で通信を行う構成とし、
前記制御部は、前記通信部から前記薬剤投与装置への前記第２の出力での通信が可能か否かを判断し、通信が不可と判断した時には、前記表示部に、前記生体情報測定装置とペアを構成している他人の前記薬剤投与装置の個別識別情報、および他人の前記生体情報測定装置の個別識別情報のいずれか一方を表示する生体情報測定装置。
【請求項２】
前記薬剤投与情報は、薬剤の投与量情報、薬剤の投与量算出情報、個人情報の少なくとも一つである請求項１に記載の生体情報測定装置。
【請求項３】
前記制御部は、前記通信部から前記薬剤投与装置への第２の出力での通信が可能か否かを判断する時に、前記表示部に前記センサ装着部からのセンサ取り外しを促す表示を行う請求項１または２のいずれかに記載の生体情報測定装置。
【請求項４】
センサ装着部を有する本体ケースと、前記センサ装着部に接続した測定部と、この測定部に接続した制御部と、この制御部に接続した表示部と、前記制御部に接続するとともに薬剤投与装置へ薬剤投与情報および薬剤投与外情報を通信する通信部と、を備え、
前記制御部は、前記薬剤投与装置に前記薬剤投与外情報を通信するときには、第１の出力で通信を行い、前記薬剤投与装置に前記薬剤投与情報を通信するときには、前記第１の出力よりも小さい第２の出力で通信を行う構成とし、
前記制御部は、前記通信部から前記薬剤投与装置への第２の出力での通信が可能か否かを判断する時に、前記表示部に前記センサ装着部からのセンサ取り外しを促す表示を行う生体情報測定装置。
【請求項５】
前記薬剤投与情報は、薬剤の投与量情報、薬剤の投与量算出情報、個人情報の少なくとも一つである請求項４に記載の生体情報測定装置。
【発明の詳細な説明】
【技術分野】
【０００１】
本発明は、薬剤投与装置に薬剤投与量を指示する生体情報測定装置に関するもので、たとえば、糖尿病患者にインスリンを投与する場合に活用されるものである。
【背景技術】
【０００２】
従来のこの種、生体情報測定装置の構成は、以下のような構成となっていた。【０００３】
すなわち、センサ装着部を有する本体ケースと、センサ装着部に接続した測定部と、この測定部に接続した制御部と、この制御部に接続した表示部と、制御部に接続するとともに薬剤投与装置（たとえばインスリンポンプ）へ薬剤投与情報および薬剤投与外情報を通信する通信部と、を備えた構成となっていた（例えば、特許文献１参照）。【０００４】
生体情報測定装置は、この生体情報測定装置とペアである薬剤投与装置（たとえばインスリンポンプ）とのみ、一対一で通信を行う構成になっている。たとえば、Ａさんの生体情報測定装置は、Ａさんが自らの身体に装着した薬剤投与装置（たとえばインスリンポンプ）とのみに通信が行えるようになっている。【０００５】
具体的には、たとえば、生体情報測定装置が血糖値を測定するものであった場合には、この生体情報測定装置で測定した血糖値に基づくインスリンの投与量が、ペアであるインスリンポンプに通信されるようになっていた。【０００６】
生体情報測定装置は、ペアである薬剤投与装置（たとえばインスリンポンプ）とのみ通信を行うことができるので、他の人が測定した血糖値によりインスリンポンプが動作することはないという点で安心感の高いものとなっている。つまり、Ａさんのインスリンポンプは、Ｂさんの生体情報測定装置からの情報では動作しないものとなっている。【０００７】
しかしながら、Ａさんが誤ってＢさんの生体情報測定装置を使用した時には、Ａさんの血糖値を測定したにも関わらず、Ｂさんのインスリンポンプが動作してしまうことになる。【０００８】
たとえば、ＡさんとＢさんが家族であった場合には、同じメーカの同じ型の生体情報測定装置を使用していることが多く、その結果として、上述したような、Ａさんが誤ってＢさんの生体情報測定装置を使用してしまうことがある。【０００９】
そして、この場合には、Ａさんの血糖値に基づき、Ｂさんのインスリンポンプが誤って動作することになる。
【先行技術文献】
【特許文献】
【００１０】
【特許文献１】特表２０１０−５１１４３０号公報
【発明の概要】
【００１１】
本発明の第１の態様の生体情報測定装置は、センサ装着部に接続した測定部と、この測定部に接続した制御部と、この制御部に接続した表示部と、制御部に接続するとともに薬剤投与装置へ薬剤投与情報および薬剤投与外情報を通信する通信部と、を備える。制御部は、薬剤投与装置に薬剤投与外情報を通信するときには、送信出力を第１の出力で通信を行い、薬剤投与装置に薬剤投与情報を通信するときには、送信出力を第１の出力よりも小さい第２の出力で通信を行う構成とし、制御部は、通信部から薬剤投与装置への第２の出力での通信が可能か否かを判断する時に、表示部にセンサ装着部からのセンサ取り外しを促す表示を行う。
本発明の第２の態様の生体情報測定装置は、センサ装着部を有する本体ケースと、センサ装着部に接続した測定部と、この測定部に接続した制御部と、この制御部に接続した表示部と、制御部に接続するとともに薬剤投与装置へ薬剤投与情報および薬剤投与外情報を通信する通信部と、を備える。制御部は、薬剤投与装置に薬剤投与外情報を通信するときには、第１の出力で通信を行い、薬剤投与装置に薬剤投与情報を通信するときには、第１の出力よりも小さい第２の出力で通信を行う構成とし、制御部は、通信部から薬剤投与装置への第２の出力での通信が可能か否かを判断する時に、表示部に前記センサ装着部からのセンサ取り外しを促す表示を行う。
【００１２】
すなわち、本発明においては、たとえば、Ａさんが誤ってＢさんの生体情報測定装置を使用した時には、Ａさんの血糖値に基づく薬剤投与情報であるインスリン投与量が、Ｂさんのインスリンポンプに通信されることになる。しかしながら、この通信が送信出力を小さくした第２の出力で通信されるようになっている。つまり、薬剤投与情報の通信を近接通信に切り換えて通信するようになっている。
【００１３】
このため、たとえＢさんの生体情報測定装置の通信であったとしても、この通信が、Ｂさんのインスリンポンプに届くことはなく、したがって、Ａさんの血糖値に基づいてＢさんのインスリンポンプが誤って動作することはない。つまり、Ａさんが血糖値を測定し、上述した近接通信を成功させるために、Ａさんは、Ｂさんの生体情報測定装置をＡさんのインスリンポンプに近接させることになる。この状態は、Ａさんが誤って使用しているＢさんの生体情報測定装置が、Ｂさんのインスリンポンプから遠く離れた状態となる。つまり、無線通信距離が制限されて他の薬剤投与装置（Ｂさんのインスリンポンプ）と通信することができなくなった状態となる。このため、Ｂさんのインスリンポンプが動作することはなく、その結果として、薬剤投与装置の誤動作を防止することができる。
【００１４】
その後は、Ａさんは、現在自分が保持しているＢさんの生体情報測定装置に表示されるエラー情報により、Ｂさんの生体情報測定装置を誤って使用していることに気付き、自分の生体情報測定装置を使用する。この時には、Ａさんは、自分の生体情報測定装置を、自分のインスリンポンプに近接させることで、通信が終了する。その結果として、Ａさんの血糖値に基づき、Ａさんのインスリンポンプを動作させることができる。
【図面の簡単な説明】
【００１５】
【図１】図１は、本発明の第１の実施の形態における生体情報測定装置の使用状態を示す図である。
【図２】図２は、第１の実施の形態における生体情報測定装置の制御ブロック図である。
【図３】図３は、第１の実施の形態における生体情報測定装置の使用状態を示す図である。
【図４】図４は、第１の実施の形態における生体情報測定装置の動作フローチャートである。
【図５】図５は、第１の実施の形態における生体情報測定装置の表示部の表示を示す図である。
【図６】図６は、第１の実施の形態における生体情報測定装置の表示部の表示を示す図である。
【図７】図７は、第１の実施の形態における生体情報測定装置の表示部の表示を示す図である。
【図８】図８は、第１の実施の形態における生体情報測定装置の表示部の表示を示す図である。
【図９】図９は、第１の実施の形態における生体情報測定装置の表示部の表示を示す図である。
【発明を実施するための形態】
【００１６】
以下、本発明の第１の実施の形態における生体情報測定装置について、添付図面を用いて説明する。
【００１７】
（第１の実施の形態）
図１に示すように、血液から血糖値を測定する、生体情報測定装置の一例である測定器１は、測定した血糖値に基づいた、薬剤投与情報の一例であるインスリンの投与量を、薬剤投与装置の一例であるインスリンポンプ（以下ポンプと称す）２に通信する。
【００１８】
ポンプ２の内部には、インスリンの入った薬剤シリンジ（図示せず）が薬剤シリンジ装着部（図示せず）に着脱自在に装着されている。そして測定器１から通信されたインスリンの投与量に基づいて、この薬剤シリンジ内の薬剤を、薬剤シリンジ装着部に接続されたチューブ３、針４を介して患者に投与する。
【００１９】
なお、針４は、使用者の腹や腹の皮下脂肪に差し入れており、ポンプ２は、測定器１からの薬剤投与情報に基づいて、インスリンを自動的に投与することができる。一般的に、ポンプ２は使用者の衣服下の腰回りに取り付けられる。また、ポンプ２の表面には、表示部５が設けられている。
【００２０】
測定器１について説明する。
【００２１】
測定器１の本体ケース１ａの上面には、表示部６が設けられており、本体ケース１ａの先端側にはセンサ装着部７が設けられている。そして、このセンサ装着部７に、長板形状の血糖値センサ８の接続端子９を装着する。その状態で、血糖値センサ８の接続端子９とは反対側端部に設けた点着部１０に血液を点着すれば、その時の血糖値が測定され表示部６に表示されるようになっている。
【００２２】
この測定器１の制御ブロック図を図２に示す。
【００２３】
測定器１の表示部６、センサ装着部７は、制御部１１に接続されている。この制御部１１には、センサ装着部７に装着される図１に示す血糖値センサ８の血糖値を測定する測定部１２と、この測定部１２で測定した血糖値に応じたインスリンの投与量を算出する投与量算出部１３が接続されている。なお、測定部１２は、センサ装着部７にも接続されている。
【００２４】
また、制御部１１には、投与量算出部１３が算出したインスリンの投与量を、図１のポンプ２に通信する通信部１４が接続されている。なお、測定器１とポンプ２との通信は、無線通信により行われる。また、この制御部１１には、記憶部１５、電池１６が接続されている。
【００２５】
図３は、測定器１とポンプ２の通信を説明する図である。
【００２６】
この図３に示すように、たとえば、Ａさんの測定器１Ａとポンプ２Ａはペアを構成し、測定器１Ａは、ポンプ２Ａとのみ通信を行う。同様に、Ｂさんの測定器１Ｂとポンプ２Ｂはペアを構成し、測定器１Ｂは、ポンプ２Ｂとのみ通信を行う。
【００２７】
つまり、Ｂさんのポンプ２Ｂは、Ａさんの測定器１Ａからの情報では動作しない。
【００２８】
なお、測定器１Ａとポンプ２Ａのペア、測定器１Ｂとポンプ２Ｂのペアは、ペアリングによって組み合わされる。このペアリングは、たとえば、お互いの個別識別情報（たとば１０桁の数値で、以下ＩＤと称す）を交換することにより実施される。この時の、ポンプ２ＡのＩＤが測定器１Ａの記憶部１５に記憶され、ポンプ２ＢのＩＤが測定器１Ｂの記憶部１５に記憶される。
【００２９】
また、ポンプ２Ａおよびポンプ２ＢのＩＤは、それぞれの表面に、たとえばシールによって貼り付けられている。同様に、測定器１Ａおよび測定器１ＢのＩＤも、それぞれの表面に、たとえばシールによって貼り付けられている。
【００３０】
このペアリングは、測定器１Ａとポンプ２Ａ、測定器１Ｂとポンプ２Ｂが初めてペアとなる組み合わせで、無線通信を行う前に必ず一度だけ行われる。そして、このペアリング以降は、お互いのペアとのみ通信が行われる。この通信方法は、たとえば、ブルーツゥースで規格化されている一般的な技術であるので、詳細な説明は割愛する。
【００３１】
以上の構成において、以下にその動作について説明する。
【００３２】
まず、本実施の形態においては、測定器１からポンプ２に通信するデータには２種類ある。重要データ（薬剤投与情報）と、通常データ（薬剤投与外情報）の２種類である。
【００３３】
重要データ（薬剤投与情報）とは、ポンプ２の薬剤投与に関する情報のことで、たとえば、インスリンの投与量情報（薬剤の投与量情報の一例）、インスリンの投与量を算出する血糖値情報（薬剤の投与量算出情報の一例）、ポンプ２の持ち主の名前、住所（個人情報の一例）がこれにあたる。
【００３４】
一方、通常データ（薬剤投与外情報）とは、重要データ（薬剤投与情報）以外の情報で、たとえば、機器の設定情報がこれにあたる。具体的には、ポンプ２の、時刻の設定、表示の変更、ログの表示などの設定情報である。
【００３５】
この通常データを、測定器１からポンプ２へ無線通信する時には、従来と同じく、測定器１の制御部１１は、通信部１４の送信出力を、広い範囲（たとえば１ｍ）に届く第１の出力として通信を行う。これにより、測定者の利便性を向上させている。
【００３６】
以下に、本実施の形態の特徴である重要データ（薬剤投与情報）の通信について詳細に図４のフローチャートを用いて説明する。
【００３７】
ここでは、測定器１を用いて血糖値を測定し、ポンプ２に通信する場合を例にとって説明する。
【００３８】
まず、上述したごとく、測定器１の測定部１２で患者の血糖値が測定され（ステップＳ１）、この血糖値に応じたインスリンの投与量が投与量算出部１３により算出される。そして、制御部１１が、図５に示すように、通信情報として、表示部６に「インスリン投与量  ３０ユニット：ポンプに送信します。」と表示する。なおユニットとは、インスリンの投与量を表す単位である。
【００３９】
この時、本実施の形態においては、通信を行う前に、制御部１１が、記憶部１５に記憶したポンプ２の１０桁のＩＤを取り出し、たとえば下３桁を表示部６に「ポンプ番号：＊＊＊＊＊＊＊０１２」と表示する。これにより、使用者は、表示部６に表示されたＩＤと、自分のポンプ２のシールに記述されたＩＤを比較することで、ペアの確認を行うことが出来る。
【００４０】
なお、この時、制御部１１は、測定器１の通信部１４の送信出力を、広い範囲（たとえば１ｍ）に届く第１の出力としている（ステップＳ２）。
【００４１】
その後、使用者が送信ボタン（図示せず）を押すと、制御部１１は、通信するデータが重要データか否かの判定を行う。今回、送信しようとしているインスリンの投与量は、インスリンの投与量情報であるので、重要データと判定される（ステップＳ３）。
【００４２】
つぎに、制御部１１は、センサ装着部７に血糖値センサ８が装着されたままであるか否かの判定を行う（ステップＳ４）。血糖値センサ８が装着されたままの時には、表示部６に「センサを抜いて下さい」と、センサ装着部７から血糖値センサ８の取り外しを促す表示を行って、血糖値センサ８が取り外されるのを待つ（ステップＳ５）。
【００４３】
これにより、使用者の衣服が汚れてしまうのを防止できるものとなる。すなわち、重要データの通信時には、後で説明するように通信を近接通信に切り換えるので、必然的に、使用者は、測定器１をポンプ２に近接させることになる。この時、センサ装着部７に血糖値センサ８が装着された状態だと、血糖値センサ８の点着部１０に点着した血液により、使用者の衣服を汚してしまうことになってしまう。そこで、本実施の形態においては、血糖値センサ８の取り外しを促す表示を行っている。
【００４４】
そして、血糖値センサ８がセンサ装着部７から取り外されたことを確認した後に、インスリンの投与量（薬剤投与情報）をポンプ２へ通信するために、制御部１１は、通信部１４の送信出力を、通常データの通信に用いる第１の出力よりも小さい第２の出力に切り換える。つまり、近接通信に切り換える（ステップＳ６）。
【００４５】
すると、制御部１１は、図６に示すように、「測定器をポンプに近づけて下さい」と、表示部６にメッセージを表示し、使用者に対して、測定器１をポンプ２に近接させることを促す。なお、この時も、制御部１１が、ポンプ２のＩＤの下３桁を表示部６に「ポンプ番号：＊＊＊＊＊＊＊０１２」と表示する。使用者は、表示部６に表示されたＩＤと、自分のポンプ２のシールに記述されたＩＤを比較することで、ペアの確認を行うことが出来る（ステップＳ７）。
【００４６】
通信部１４は、使用者が測定器１をポンプ２に近接させることで自分とペアであるポンプ２を検出する。具体的には、自分とペアであるポンプ２に対して通信する旨の通信を行い、ペアであるポンプ２から所定の反応があった時に通信可能状態となる。この検出は、たとえば１０秒間行われる。使用者は、１０秒の間に測定器１をポンプ２に近接させることとなる（ステップＳ８）。
【００４７】
ポンプ２の検出が出来ない時は、制御部１１は、図７に示すように、表示部６にエラー表示「インスリン投与エラー」と共に、「ポンプを確認して下さい」「ポンプ番号：＊＊＊＊＊＊＊０１２」と表示する。なお、表示部６には、たとえば、ポンプ２のＩＤの下３桁が表示される。
【００４８】
なおこの時、使用者が誤って他人の測定器１を使用してしまい、自分のポンプ２に近接させている時には、当然のこととしてポンプ２の検出が出来ない。
【００４９】
つまりこの時、使用者が誤使用している他人の測定器１は、自分のポンプ２に近接させており、他人のポンプ２とは遠く離れた状態となっている。このため、他人のポンプ２が動作することはなく、自分の血糖値に基づき、他人の薬剤投与装置であるポンプ２が誤って動作することはない。
【００５０】
その結果として、薬剤投与装置であるポンプ２の誤動作を防止することができるものとなる。
【００５１】
なお、使用者が誤って他人の測定器１を使用しているときには、表示部６には、たとえば、「ポンプ番号：＊＊＊＊＊＊＊２２２」と他人のポンプ２のＩＤが表示されるのである（ステップＳ９）。
【００５２】
使用者は、表示部６に表示されたＩＤと、自分のポンプ２のシールに記述されたＩＤを比較することで、ペアの確認を行うことが出来る。この確認により、使用者は、他人の測定器１を使用していることに気付き、使用を中断することができる。
【００５３】
なお、ステップＳ９の処理後は、制御部１１は、ステップＳ８に戻って、再びポンプの検出を行う。このステップＳ８、ステップＳ９、ステップＳ１０は、リトライの手順を示しており、このリトライは複数回（たとえば２回）行われる。使用者が自分の測定器１を使用している時には、このリトライの間に、測定器１をポンプ２に近接させることにより、通常の通信手順（後述するステップＳ１２）に戻ることが出来る。
【００５４】
しかし、３回目のリトライの時には、制御部１１が、通信エラーと判断し、表示部６に再び図７の通信エラー情報を表示する（ステップＳ１１）。その後、通信部１４の送信出力を元に戻す、つまり、通常データの通信に用いる第１の出力に切り換えて（ステップＳ１４）、通信を終了する（ステップＳ１５）。
【００５５】
なお、使用者が自分の測定器１を使用して、この測定器１をポンプ２に近接させている時には、ステップＳ８において、自分のポンプ２が検出され、インスリンの投与量が、測定器１の通信部１４からポンプ２へと通信され（ステップＳ１２）、制御部１１が表示部６に「送信終了しました」とメッセージを表示する（ステップＳ１３）。
【００５６】
その後、制御部１１は、通信部１４の送信出力を元に戻す、つまり、通常データの通信に用いる第１の出力に切り換えて（ステップＳ１４）、通信を終了する（ステップＳ１５）。
【００５７】
つぎに、通常データの通信について説明する。
【００５８】
この通常データ（薬剤投与外情報、つまり薬剤投与情報以外の情報）を通信する時には（ステップＳ１６）、使用者が通信情報を確認し、送信ボタン（図示せず）を押すと（ステップＳ２）、制御部１１は、通常データであると判定し（ステップＳ３）、ペアであるポンプ２を検出する。
【００５９】
この検出は、測定器１の通信部１４が、広い範囲（たとえば１ｍ）に届く第１の出力で通信を行うので、ペアであるポンプ２を直ちに検出することができる（ステップＳ８）。
【００６０】
その後、機器の設定情報は、広い範囲（たとえば１ｍ）に届く第１の出力で、測定器１の通信部１４からポンプ２へと通信され（ステップＳ１２）、制御部１１が表示部６に「送信終了しました」とメッセージを表示する（ステップＳ１３）。
【００６１】
その後、制御部１１は、第１の出力の状態で（ステップＳ１４）、通信を終了する（ステップＳ１５）。
【００６２】
以上説明したごとく、本実施の形態における特徴点は、重要データ（薬剤の投与量情報、薬剤の投与量算出情報、個人情報）の少なくとも一つをポンプ２に通信する時には、通信の送信出力を、通常データの通信に用いる第１の出力よりも小さい第２の出力に切り換えて通信することである。つまり、近接通信に切り換えて通信することである。
【００６３】
これにより、ポンプ２の誤動作を防止することができるものとなる。
【００６４】
すなわち、図３の状態で、ＡさんとＢさんが家族であった場合には、同じメーカの同じ型の測定器１を使用していることが多く、その結果として、上述したような、Ａさんが誤ってＢさんの測定器１Ｂを使用してしまうことが発生することが多い。
【００６５】
この場合、Ａさんの血糖値に基づく薬剤投与情報であるインスリン投与量が、Ｂさんのポンプ２Ｂに通信される。しかしながら、この通信の送信出力を小さくした第２の出力で通信されるようになっている。つまり、近接通信に切り換えて通信するようになっている。
【００６６】
このため、たとえＢさんの測定器１Ｂの通信であったとしても、この通信が、Ｂさんのポンプ２Ｂに届くことはなく、したがって、Ａさんの血糖値に基づき、Ｂさんのポンプ２Ｂが誤って動作することはない。つまり、Ａさんが血糖値を測定し、上述した近接通信を成功させるために、Ａさんは、Ｂさんの測定器１ＢをＡさんのポンプ２Ａに近接させる。この状態は、Ｂさんのポンプ２Ｂに対しては、Ａさんが使用する測定器１Ｂは、遠く離れた状態となる。つまり、無線通信距離が制限されて他の薬剤投与装置であるポンプ２Ｂと通信することができなくなった状態となる。このため、Ｂさんのポンプ２Ｂが動作することはなく、その結果として、薬剤投与装置であるポンプ２Ｂの誤動作を防止することができる。
【００６７】
なお、本実施の形態においては図４のステップＳ２、ステップＳ７、ステップＳ９において、他人の測定器１を、誤って使用したときには、表示部６に「ポンプ番号：＊＊＊＊＊＊＊２２２」と、ポンプ２のＩＤを表示した。
【００６８】
このため、たとえば、図３において、Ａさんが誤ってＢさんの測定器１Ｂを使用しているときには、表示部６には、Ｂさんのポンプ２ＢのＩＤが表示される。
【００６９】
ここでＡさんが、この表示されたＩＤと、自分のポンプ２ＡのＩＤを比較すれば、当然のこととして、２つのＩＤは違っている。そこで、Ａさんは、自分の測定器１Ａを使用していないことに気付き、誤使用を中断することができる。このように、Ａさんが、表示部６の表示により誤使用に気付くことができれば、これ以上の誤使用を中止することができる。
【００７０】
したがって、ＡさんがＢさんのポンプ２Ｂを動作させることはなくなり、その結果として、薬剤投与装置であるポンプ２Ｂの誤動作を防止することができる。
【００７１】
なお、本実施の形態においては、表示部６に、ポンプ２のＩＤを表示したが、このポンプ２のＩＤに代えて、図８に示すごとく、測定器１のＩＤを、たとえば「メータ番号：＊＊＊＊＊＊＊９８７」と表示しても良い。この測定器１のＩＤは、測定器１の表面にシールによって貼り付けられているので、確認が行いやすいものとなる。
【００７２】
また、図９に示すように、ポンプ２のＩＤ、あるいは測定器１のＩＤに関連づけられた情報（たとえば、使用者の名前やニックネーム）を表示しても良い。この場合、使用者の名前やニックネームを使用することにより、使用者が誤使用に気付きやすくなる。
【００７３】
ポンプ２は、上述のごとく、衣服の下にセットされている。このため、使用者の手元の測定器１に使用者の名前やニックネームを表示することにより、使用者は衣服の下のポンプ２を確認することなく誤使用に気付くことができる。
【００７４】
その結果として、薬剤投与装置であるポンプ２の誤動作を防止することができる。
【産業上の利用可能性】
【００７５】
以上のように本発明は、たとえば、糖尿病患者にインスリンを投与する場合に活用される生体情報測定装置として、広く活用が期待されるものである。
【符号の説明】
【００７６】
１，１Ａ，１Ｂ  測定器（生体情報測定装置）
１ａ  本体ケース
２，２Ａ，２Ｂ  ポンプ（薬剤投与装置）
３  チューブ
４  針
５  表示部
６  表示部
７  センサ装着部
８  血糖値センサ
９  接続端子
１０  点着部
１１  制御部
１２  測定部
１３  投与量算出部
１４  通信部
１５  記憶部
１６  電池
【図１】
0005980896.tif 000002
【図２】
0005980896.tif 000003
【図３】
0005980896.tif 000004
【図４】
0005980896.tif 000005
【図５】
0005980896.tif 000006
【図６】
0005980896.tif 000007
【図７】
0005980896.tif 000008
【図８】
0005980896.tif 000009
【図９】
0005980896.tif 000010